(57)【要約】【課題】プロジェクタ本体とアタッチメントとの間の装着形態が複数あるように工夫を凝らし、１つのアタッチメントであっても、プロジェクタ本体との装着形態を変えることで、画像を異なる投影方向のいずれかの方向に適切に投影できるようにしたプロジェクタ、アタッチメント及びプロジェクタ本体を提供する。【解決手段】アタッチメントＰＪｂは、投影口部１１７を、下側水平投影面Ｓａ、上側水平投影面Ｓｂ、左側垂直投影面Ｓｃ或いは右側垂直投影面Ｓｄに向けるように、プロジェクタ本体ＰＪａの段部１０ｃに装着される。この装着は、アタッチメントＰＪｂの装着部（ハウジング部材１１０の後壁１１１及び各ロック用爪）が段部１０ｃの装着部（頭部１０ｂの前壁１１及び各Ｌ字穴部）に装着されることでなされる。【選択図】図１
2007094288.tif 000002
【特許請求の範囲】
【請求項１】
画像を表示する表示手段と、この表示手段からの表示画像を光学的に投影する投影手段とを備えるプロジェクタにおいて、
少なくとも前記表示手段を内蔵するプロジェクタ本体と、
前記投影手段の少なくとも一部を内蔵し前記プロジェクタ本体に装着して使用されるアタッチメントとを備えて、
前記アタッチメントは、前記プロジェクタ本体に装着するためのアタッチメント側装着部を備え、
前記プロジェクタ本体は、前記アタッチメント側装着部に対応して前記アタッチメントが装着されるプロジェクタ本体側装着部を備え、
前記アタッチメントを前記プロジェクタ本体に装着させる場合、前記アタッチメント側装着部を前記プロジェクタ本体側装着部に装着させる形態が少なくとも２つ以上あり、当該各装着形態に応じて前記投影手段による表示画像が光学的に投影される投影方向が異なるように設定されることを特徴とするプロジェクタ。
【請求項２】
画像を表示する表示手段と、この表示手段からの表示画像を光学的に投影する投影手段とを備えるプロジェクタにおいて、
少なくとも前記表示手段を内蔵するプロジェクタ本体と、
前記投影手段の少なくとも一部を内蔵するアタッチメントとを備え、
前記アタッチメントは、前記プロジェクタ本体に設けられた装着部に着脱可能に装着される装着部を設けてなり、
前記アタッチメントの装着部は、前記プロジェクタ本体の装着部に装着されたとき前記投影手段の投影方向を複数の異なる投影方向のいずれかに設定する形態となるように、前記プロジェクタ本体の装着部と共に構成されていることを特徴とするプロジェクタ。
【請求項３】
前記アタッチメントを前記プロジェクタ本体に装着させる場合、前記アタッチメント側装着部を前記プロジェクタ本体側装着部に装着させる前記少なくとも２以上の形態のいずれかに応じて、前記投影手段の投影方向が下方向及び上方向の少なくともいずれかの方向に設定されることを特徴とする請求項１に記載のプロジェクタ。
【請求項４】
前記アタッチメントを前記プロジェクタ本体に装着させる場合、前記アタッチメント側装着部を前記プロジェクタ本体側装着部に装着させる前記少なくとも２以上の形態の他のいずれかに応じて、前記投影手段の投影方向が水平方向に設定されることを特徴とする請求項１または３に記載のプロジェクタ。
【請求項５】
前記アタッチメントがその装着部にて前記プロジェクタ本体の装着部に装着されたとき、この装着形態を識別する識別情報及び前記装着形態における前記アタッチメントに関する情報の双方の少なくとも一方を検出するアタッチメント情報検出手段を備えることを特徴とする請求項１、３または４に記載のプロジェクタ。
【請求項６】
前記識別情報及び前記装着形態における前記アタッチメントに関する情報の双方のうち少なくとも一方を報知する情報報知手段を備えることを特徴とする請求項５に記載のプロジェクタ。
【請求項７】
前記識別情報及び前記装着形態における前記アタッチメントに関する情報の双方のうち少なくとも一方に基づいて、前記表示手段により表示される画像を制御する画像制御手段を備えることを特徴とする請求項５または６に記載のプロジェクタ。
【請求項８】
請求項１〜７のいずれか１つに記載のプロジェクタに備えられる前記プロジェクタ本体に着脱可能に装着されるアタッチメント。
【請求項９】
請求項１〜７のいずれか１つに記載のプロジェクタに備えられるプロジェクタ本体。
【発明の詳細な説明】
【技術分野】
【０００１】
本発明は、投影面に向け、画像を光学的に投影するプロジェクタに関するものである。
【背景技術】
【０００２】
従来、この種のプロジェクタにおいては、例えば、下記特許文献１に開示されたプロジェクタがある。このプロジェクタでは、投影用光学系により投影される画像が反射ミラーにより投影面に向けて反射されるようになっている。ここで、投影面はプロジェクタの設置面に垂直になっている。
【特許文献１】特開２００２−０９０８７９号公報
【発明の開示】
【発明が解決しようとする課題】
【０００３】
ところで、上記プロジェクタは、通常、机上面または天井面に設置して使用される。このような使用形態では、当該プロジェクタに依っては、机上面又は天井面に対し垂直な投影面には画像を適切に投影し得るとしても、プロジェクタそのものの設置状態を変えない限り、机上面又は天井面上の水平な投影面には画像を適切に投影することはできない。
【０００４】
そこで、本発明は、以上のようなことに対処するため、プロジェクタ本体と当該プロジェクタ本体に着脱自在に装着できるアタッチメントとの間の装着形態が複数あるように工夫を凝らし、１つのアタッチメントであってもプロジェクタ本体との装着方法（装着形態）を変えることで、画像を異なる投影方向に適切に投影できるようにしたプロジェクタ、アタッチメント及びプロジェクタ本体を提供することを目的とする。
【課題を解決するための手段】
【０００５】
上記課題の解決にあたり、本発明に係るプロジェクタは、請求項１の記載によれば、
画像を表示する表示手段と、この表示手段からの表示画像を光学的に投影する投影手段とを備える。
【０００６】
当該プロジェクタにおいて、少なくとも表示手段を内蔵するプロジェクタ本体と、
投影手段の少なくとも一部を内蔵しプロジェクタ本体に装着して使用されるアタッチメントとを備えて、
アタッチメントは、プロジェクタ本体に装着するためのアタッチメント側装着部を備え、
プロジェクタ本体は、アタッチメント側装着部に対応してアタッチメントが装着されるプロジェクタ本体側装着部を備え、
アタッチメントをプロジェクタ本体に装着させる場合、アタッチメント側装着部をプロジェクタ本体側装着部に装着させる形態が少なくとも２つ以上あり、当該各装着形態に応じて投影手段による表示画像が光学的に投影される投影方向が異なるように設定されることを特徴とする。
【０００７】
これにより、プロジェクタ本体の配置位置をそのまま維持しても、プロジェクタ本体に対するアタッチメントの装着形態を変えることで、投影手段の投影方向を複数の異なる投影方向のいずれかの方向に簡単に設定でき、当該投影方向に対応する投影面に投影できるようになる。
【０００８】
また、本発明に係るプロジェクタは、請求項２の記載によれば、
画像を表示する表示手段と、この表示手段からの表示画像を光学的に投影する投影手段とを備える。
【０００９】
当該プロジェクタにおいて、少なくとも表示手段を内蔵するプロジェクタ本体と、
投影手段の少なくとも一部を内蔵するアタッチメントとを備え、
アタッチメントは、プロジェクタ本体に設けられた装着部に着脱可能に装着される装着部を設けてなり、
アタッチメントの装着部は、プロジェクタ本体の装着部に装着されたとき投影手段の投影方向を複数の異なる投影方向のいずれかに設定する形態となるように、プロジェクタ本体の装着部と共に構成されていることを特徴とする。
【００１０】
このように、アタッチメントの装着部が、プロジェクタ本体の装着部に装着されたとき投影手段の投影方向を複数の異なる投影方向のいずれかに設定する形態となるように、プロジェクタ本体の装着部と共に構成されている。
【００１１】
従って、プロジェクタ本体の配置位置をそのまま維持しても、投影手段の投影方向を複数の異なる投影方向のいずれかに設定するように、アタッチメントの装着部をプロジェクタ本体の装着部に装着することで、投影手段の投影方向を複数の異なる投影方向のいずれかの方向に簡単に設定でき、当該投影方向に対応する投影面に投影できるようになる。
【００１２】
また、本発明は、請求項３の記載によれば、請求項１に記載のプロジェクタにおいて、
アタッチメントをプロジェクタ本体に装着させる場合、アタッチメント側装着部をプロジェクタ本体側装着部に装着させる上記少なくとも２以上の形態のいずれかに応じて、投影手段の投影方向が下方向及び上方向の少なくともいずれかの方向に設定されることを特徴とする。
【００１３】
これにより、投影手段の投影方向を下方向及び上方向の少なくともいずれかの方向に簡単に設定できる。従って、投影手段の上方向または下方向に対応する投影面にも表示手段からの表示画像を簡単に投影できるようになる。なお、下方向とは、設置面に対し垂直下方や垂直下方よりやや前方の下方向を、上方向とは、設置面に対し垂直上方や垂直上方よりやや前方の上方向を、総称している。
【００１４】
また、本発明は、請求項４の記載によれば、請求項１または３に記載のプロジェクタにおいて、アタッチメントをプロジェクタ本体に装着させる場合、アタッチメント側装着部をプロジェクタ本体側装着部に装着させる上記少なくとも２以上の形態の他のいずれかに応じて、投影手段の投影方向が水平方向に設定されることを特徴とする。
【００１５】
これにより、プロジェクタの設置面等の水平面に対し垂直に位置する水平方向の投影面にも表示手段からの表示画像を簡単に投影できるようになる。なお、水平方向とは、水平方向よりやや上向きや、やや下向きの方向も含んでおり、また、前方の水平方向に限らず、或いは当該前方の水平方向だけでなく、右方向や左方向、後ろ方向などの水平方向も含めて総称している。
【００１６】
また、本発明は、請求項５の記載によれば、請求項１、３または４に記載のプロジェクタにおいて、アタッチメントがその装着部にてプロジェクタ本体の装着部に装着されたとき、この装着形態を識別する識別情報及び上記装着形態におけるアタッチメントに関する情報の双方の少なくとも一方を検出するアタッチメント情報検出手段を備えることを特徴とする
これによれば、請求項１、３または４に記載の発明の作用効果の達成にあたり、アタッチメントの装着形態を識別する識別情報及び上記装着形態におけるアタッチメントに関する情報の双方の少なくとも一方をアタッチメント情報検出手段により検出することで、当該装着形態を識別する情報及び上記装着形態におけるアタッチメントに関する情報の双方のうち少なくとも一方が得られる。
【００１７】
また、本発明は、請求項６の記載によれば、請求項５に記載のプロジェクタにおいて、上記識別情報及び上記装着形態におけるアタッチメントに関する情報の双方のうち少なくとも一方を報知する情報報知手段を備えることを特徴とする。
【００１８】
これにより、プロジェクタ本体に対するアタッチメントの装着形態の識別情報及び上記装着形態におけるアタッチメントに関する情報の少なくとも一方が、素早く認識され得る。その結果、請求項５に記載の発明の作用効果がより一層向上され得る。
【００１９】
また、本発明では、請求項７の記載によれば、請求項５または６に記載のプロジェクタにおいて、上記識別情報及び上記装着形態におけるアタッチメントに関する情報の双方のうち少なくとも一方に基づいて、表示手段により表示される画像を制御する画像制御手段を備えることを特徴とする。
【００２０】
これにより、識別情報で識別されたアタッチメントの装着形態の識別情報及び上記装着形態におけるアタッチメントに関する情報の双方のうち少なくとも一方が、投影手段の下方向への投影方向に対応するアタッチメントの装着形態であれば、当該プロジェクタの投影距離が短いために、表示手段による表示画像の投影面上の明るさは、十分余裕があり、時として過度になりがちであることから、当該表示画像の輝度を低下させるように制御し得る。
【００２１】
このように制御すれば、投影手段の下方向への投影であっても、表示画像が、投影面上にて過度の明るさになるのを防いだり、適切な明るさの中で電力消費を抑制することができるようになる。
【００２２】
また、識別情報で識別されたアタッチメントの装着形態の識別情報及び上記装着形態におけるアタッチメントに関する情報の双方のうち少なくとも一方が、投影手段の上方向または水平方向への投影方向に対応するアタッチメントの装着形態であれば、プロジェクタの投影距離が長いために、表示手段による表示画像の投影面上の明るさが不足しがちであることから、表示手段による表示画像の輝度を高くするように制御し得る。
【００２３】
このように制御すれば、投影手段の上方向への投影または投影手段の水平方向への投影であっても、表示画像が、投影面上において、明るさの不足を伴うことなく良好な明るさとなり、見易くなる。
【００２４】
また、本発明に係るアタッチメントは、請求項８の記載によれば、請求項１〜７のいずれか１つに記載のプロジェクタに備えられる上記プロジェクタ本体に着脱可能に装着されるアタッチメントである。
【００２５】
これにより、請求項１〜７のいずれか１つに記載の発明の作用効果を達成するプロジェクタに適したアタッチメントとして、新たな仕様（例えば新たな投影方向へ）の投影を可能ならしめるアタッチメントの追加提供が可能となる。
【００２６】
また、本発明に係るプロジェクタ本体は、請求項９の記載によれば、請求項１〜７のいずれか１つに記載のプロジェクタに備えられるプロジェクタ本体である。
【００２７】
これにより、請求項１〜７のいずれか１つに記載の発明の作用効果を達成するプロジェクタとして新たな仕様（例えば新たな投影方向へ）の投影を可能ならしめるプロジェクタ本体の追加提供が可能となる。
【発明を実施するための最良の形態】
【００２８】
以下、本発明の各実施形態を図面により説明する。
（第１実施形態）
図１は、本発明に係るプロジェクタの第１実施形態を示している。このプロジェクタは、プロジェクタ本体ＰＪａと、このプロジェクタ本体ＰＪａに着脱可能に装着されるアタッチメントＰＪｂとを備えている。ここで、当該アタッチメントＰＪｂは、下方向投影用、上方向投影用、左方向投影用或いは右方向投影用のアタッチメントとして採用されている（図１参照）。なお、図１にて図示斜め左下方向が、当該プロジェクタの前方向に対応する。これに伴い、図１において図示上方向、図示下方向、図示斜め右下方向及び図示斜め左上方向が、それぞれ、当該プロジェクタの上方向、下方向、左方向及び右方向に対応する。
【００２９】
本第１実施形態において、上述した下方向投影、上方向投影、左方向投影或いは右方向投影は、アタッチメントＰＪｂをプロジェクタ本体ＰＪａに装着したときの当該アタッチメントＰＪｂの下方向、上方向、左方向或いは右方向への投影をいう（図１参照）。
【００３０】
ここで、上記下方向への投影は、当該プロジェクタの設置面またはこの設置面に近接した水平面等、例えば、下側水平投影面Ｓａ（図１参照）への投影をいう。上記上方向への投影は、当該プロジェクタの天井等の上側の水平面、例えば、上側水平投影面Ｓｂ（図１参照）をいう。
【００３１】
上記左方向への投影は、床または当該プロジェクタの設置面等の水平面に対しこのプロジェクタの左側にて垂直に位置する垂直面、例えば、左側垂直投影面Ｓｃ（図１参照）への投影をいう。また、上記右方向への投影は、床または当該プロジェクタの設置面等の水平面に対しこのプロジェクタの右側にて垂直に位置する垂直面、例えば、右側垂直投影面Ｓｄ（図１参照）への投影をいう。
【００３２】
プロジェクタ本体ＰＪａは、図１にて示すごとく、ハウジング部材１０を備えており、このハウジング部材１０は、その胴部１０ａ上に頭部１０ｂを突出形成して構成されている。頭部１０ｂは、図１にて示すごとく、その前壁１１にて、胴部１０ａの前壁よりも後方に位置しており、この頭部１０ｂは、胴部１０ａの前側部位上において、段部１０ｃをＬ字状に形成してなるものである。なお、段部１０ｃは、頭部１０ｂの前壁１１を後壁とし胴部１０ａの上壁前側部位１２を底壁とする。
【００３３】
段部１０ｃは、図２及び図３に拡大して示すごとく、開口部１３を有しており、この開口部１３は段部１０ｃの後壁（頭部１０ｂの前壁１１）の中央に形成されて、後述する液晶パネル１００（図６参照）に対向している。また、当該段部１０ｃは、４つのＬ字穴部１４〜１７を備えており、これら各Ｌ字穴部１４〜１７は、段部１０ｃの後壁（頭部１０ｂの前壁１１）に開口部１３の中心を基準として当該開口部１３の周りに等角度間隔にて同一円周に沿い形成されている。
【００３４】
４つのＬ字穴部１４〜１７は、共に、同一形状に形成されているので、Ｌ字穴部１４を例に挙げてその構成につき説明する。Ｌ字穴部１４は、挿通穴部１４ａ及び案内穴部１４ｂを備えている。案内穴部１４ｂは、図３にて示すごとく、挿通穴部１４ａの右側内壁下部から右方へ延出されており、当該案内穴部１４ｂは、その左端部にて挿通穴部１４ａ内にその右側内壁下部から連通している。
【００３５】
ここで、案内穴部１４ｂの左右方向幅は、挿通穴部１４ａの左右方向幅に等しい。また、案内穴部１４ｂの上下方向幅は、挿通穴部１４ａの上下方向幅の半分に等しい。
【００３６】
残りのＬ字穴部１５、１６及び１７は、それぞれ、図３にて示すごとく、Ｌ字穴部１４の挿通穴部１４ａ及び案内穴部１４ｂに相当する挿通穴部１５ａ、１６ａ、１７ａ及び案内穴部１５ｂ、１６ｂ、１７ｂを備えている。
【００３７】
ここで、Ｌ字穴部１５では、案内穴部１５ｂが挿通穴部１５ａの下側内壁左部から下方へ延出され、Ｌ字穴部１６では、案内穴部１６ｂが挿通穴部１６ａの左側内壁上部から左方へ延出され、Ｌ字穴部１７では、案内穴部１７ｂが挿通穴部１７ａの上側内壁右部から上方へ延出されている。
【００３８】
但し、図３にて示すごとく、Ｌ字穴部１４は、その挿通穴部１４ａにて、開口部１３の中心線Ｌ１よりも所定角度（例えば、１０°）だけ左側にずれて、頭部１０ｂの前壁１１に形成され、Ｌ字穴部１５は、その挿通穴部１５ａにて、開口部１３の他の中心線Ｌ２（上記中心線Ｌ１に直交する中心線）よりも上記所定角度だけ上側にずれて、頭部１０ｂの前壁１１に形成されている。
【００３９】
また、Ｌ字穴部１６は、その挿通穴部１６ａにて、開口部１３の中心線Ｌ１よりも上記所定角度だけ右側にずれて、頭部１０ｂの前壁１１に形成され、Ｌ字穴部１７は、その挿通穴部１７ａにて、開口部１３の他の中心線Ｌ２よりも上記所定角度だけ下側にずれて、頭部１０ｂの前壁１１に形成されている。なお、頭部１０ｂの前壁１１及び各Ｌ字穴部１４〜１７は、本発明にいうプロジェクタ本体側装着部に対応する。
【００４０】
また、プロジェクタ本体ＰＪａは、図２及び図３にて示すごとく、４つの板状ロックバネ１８ａ〜１８ｄを備えており、これらロックバネ１８ａ〜１８ｄは、それぞれ、各Ｌ字穴部１４〜１７に対応する位置にて頭部１０ｂの前壁１１にその内側から支持されている。ここで、当該ロックバネ１８ａ〜１８ｄは、各Ｌ字穴部１４〜１７の外周側にて等角度間隔にて同一円周に沿い頭部１０ｂの前壁１１に支持されている。
【００４１】
ロックバネ１８ａは、図２及び図３にて示すごとく、その両端部にて、頭部１０ｂの前壁１１のうちＬ字穴部１４の近傍部位に固着されており、このロックバネ１８ａの中央部１９ａは、ロックバネ１８ａの両端部からＶ字状に屈曲し、その頂部にて、Ｌ字穴部１４の挿通穴部１４ａと案内穴部１４ｂとの境界に向け突出している。これにより、ロックバネ１８ａは、中央部１９ａを中心として、弾性変形可能となっている。
【００４２】
残りの各ロックバネ１８ｂ、１８ｃ及び１８ｄは、それぞれ、図２及び図３にて示すごとく、その各両端部にて、頭部１０ｂの前壁１１のうちＬ字穴部１５、１６及び１７の各近傍部位に固着されており、これらロックバネ１８ｂ、１８ｃ及び１８ｄは、ロックバネ１８ａと同様に構成されて、それぞれ、その各頂部にて、各対応のＬ字穴部１５、１６及び１７の挿通穴部１５ａ、１６ａ及び１７ａと各対応の案内穴部１５ｂ、１６ｂ及び１７ｂとの境界に向け突出し、各中央部１９ｂ、１９ｃ及び１９ｄを中心として、弾性変形可能となっている。
【００４３】
また、プロジェクタ本体ＰＪａは、図６にて示すごとく、操作パネルＰ、制御ユニットＵ、ランプ８０、照明光学系９０及び液晶パネル１００（以下、ＬＣＤ１００ともいう）を備えている。操作パネルＰは、ハウジング部材１０の外壁の適所に設けられており、当該操作パネルＰは、複数の押動型メニュー操作キー（図示しない）の選択的操作のもと、操作出力を制御ユニットＵに入力する。
【００４４】
制御ユニットＵは、ランプ８０、照明光学系９０及びＬＣＤ１００と共に、ハウジング部材１０に内蔵されている。この制御ユニットＵは、図６にて示すごとく、操作パネルＰ、ランプ８０及びＬＣＤ１００に接続されているもので、当該制御ユニットＵは、マイクロコンピュータ２０及び各装着センサ３１〜３４を備えている。なお、各装着センサ３１〜３４とマイクロコンピュータ２０とで、本発明にいうアタッチメント情報検出手段に対応する。
【００４５】
マイクロコンピュータ２０は、その主たる構成素子であるＣＰＵ、ＲＯＭ及びＲＡＭをバスラインを介し接続して構成されており、このマイクロコンピュータ２０は、そのＣＰＵにより、操作パネルＰの操作入力に基づく処理や、各装着センサ３１〜３４のいずれかの検出信号に基づくアタッチメントＰＪｂの装着形態の識別情報、当該アタッチメントＰＪｂに関する他の情報（例えば、投影方向）の識別処理、この識別処理に基づくランプ駆動回路４０の駆動処理等の種々の処理を行う。
【００４６】
各装着センサ３１〜３４は、それぞれ、常開型マイクロスイッチでもって構成されている。装着センサ３１は、図３にて示すごとく、押動部３１ａを備えており、当該装着センサ３１は、Ｌ字穴部１４の案内穴部１４ｂの近傍にて、押動部３１ａを案内穴部１４ｂ側に向けて突出させるように、頭部１０ｂの前壁１１に支持されている。
【００４７】
また、残りの各装着センサ３２、３３及び３４は、図３にて示すごとく、それぞれ、各押動部３２ａ、３３ａ及び３４ａを備えており、これら各装着センサ３２、３３及び３４は、それぞれ、各対応のＬ字穴部１５、１６及び１７の案内穴部１５ｂ、１６ｂ及び１７ｂの近傍にて、各押動部３２ａ、３３ａ及び３４ａを各案内穴部１５ｂ、１６ｂ及び１７ｂ側に向けて突出させるように、頭部１０ｂの前壁１１に支持されている。
【００４８】
しかして、アタッチメントＰＪｂが段部１０ｃに後述のごとく装着されたとき、各装着センサ３１、３２、３３及び３４のいずれかが、その押動部３１ａ、３２ａ、３３ａ及び３４ａのうち対応するものにて、アタッチメントＰＪｂの爪１１３（後述する）により押動されてオンし、検出信号を発生する。なお、上記検出信号は、後述するようにアタッチメントＰＪｂ装着完了の検知にも利用できる。
【００４９】
また、制御ユニットＵは、ランプ駆動回路４０、画像処理回路５０、映像信号入力回路６０及び液晶パネル駆動回路７０（以下、ＬＣＤ駆動回路７０ともいう）を備えている。
【００５０】
ランプ駆動回路４０は、マイクロコンピュータ２０による制御のもと、ランプ８０を駆動する。映像信号入力回路６０は、映像データを外部映像機器（図示しない）から出力されて、所定の形式に変換して画像処理回路５０に入力する。ランプ駆動回路４０及びＬＣＤ駆動回路７０は、マイクロコンピュータ２０と共に、本発明にいう画像制御手段に対応する。
【００５１】
画像処理回路５０は、映像信号入力回路６０から所定の信号形式で出力された映像信号を、マイクロコンピュータ２０のＣＰＵによる指令等に基づきＡ−Ｄ変換等の画像データ処理を行いＬＣＤ駆動回路７０に出力する。
【００５２】
ＬＣＤ駆動回路７０は、画像処理回路５０からの画像データ処理された出力に基づきＬＣＤ１００を駆動する。なお、上述した映像信号入力回路６０、画像処理回路５０、ＬＣＤ駆動回路７０等の構成は、その一例にすぎず、外部映像機器から出力される映像信号が、マイクロコンピュータ２０のＣＰＵ等の制御回路からの指令にも対応可能で、ＬＣＤ１００を駆動し得るような信号形態に変換されるのであれば、どのような構成でもよいことはいうまでもない。
【００５３】
ランプ８０は、マイクロコンピュータ２０のＣＰＵによる制御のもと、ランプ駆動回路４０により点灯駆動されて光を照明光学系９０に出射する。照明光学系９０は、ランプ８０から出射される光を集光し平行光としてＬＣＤ１００に向け出射する。
【００５４】
ＬＣＤ１００は、透過型のもので、このＬＣＤ１００は、その表示面にて、ハウジング部材１０内にて、前壁１１の開口部１３を通し外方を臨むように配設されている。当該ＬＣＤ１００は、その各表示部位にて、画像処理回路５０の画像データ処理された出力に基づきＬＣＤ駆動回路７０から出力される駆動信号に応じて、照明光学系９０からの出射光のうち透過させる光量を制御して、画像処理回路５０の画像データ処理された出力を映像光として出射する。このことは、ＬＣＤ１００が、当該映像光をもとに、上記画像データ処理された出力に基づき映像を表示することを意味する。なお、ＬＣＤ１００は、本発明にいう表示手段に対応する。
【００５５】
次に、アタッチメントＰＪｂの構成をプロジェクタ本体ＰＪａの構成との関連において図２及び図４〜図６を参照して説明する。
【００５６】
当該アタッチメントＰＪｂは、図４及び図５にて示すごとく、ハウジング部材１１０を備えている。このハウジング部材１１０は、プロジェクタ本体ＰＪａの段部１０ｃに装着されたとき段部１０ｃの後壁（頭部１０ｂの前壁１１）に当接する後壁１１１を有しており、この後壁１１１の中央部には、円形状開口部１１２が、頭部１０ｂの前壁１１の開口部１３を通しＬＣＤ１００の表示面に対向するように形成されている。
【００５７】
また、当該ハウジング部材１１０は、４つのロック用爪１１３〜１１６を有しており、これら各爪１１３〜１１６は、開口部１１２の外周縁部にて、当該開口部１１２を中心とする同一円周に沿い、後壁１１１の外面に等角度間隔にて、それぞれ、プロジェクタ本体ＰＪａの各Ｌ字穴部１４〜１７に対応して位置し得るように設けられている。
【００５８】
但し、図５にて示すごとく、各爪１１３〜１１６は、そのいずれでも、各Ｌ字穴部１４〜１７のいずれかに対応し得るように、ハウジング部材１１０の後壁１１１に突設されている。
【００５９】
詳細には、爪１１３は、図５にて示すごとく、開口部１１２の中心線Ｌ３よりも上記所定角度だけ右側にずれて、ハウジング部材１１０の後壁１１１に突設され、爪１１４は、開口部１１２の他の中心線Ｌ４（上記中心線Ｌ３に直交する中心線）よりも上記所定角度だけ上側にずれて、ハウジング部材１１０の後壁１１１に突設されている。
【００６０】
また、爪１１５は、図５にて示すごとく、開口部１１２の中心線Ｌ３よりも上記所定角度だけ左側にずれて、ハウジング部材１１０の後壁１１１に突設され、また、爪１１６は、開口部１１２の他の中心線Ｌ４よりも上記所定角度だけ下側にずれて、ハウジング部材１１０の後壁１１１に突設されている。
【００６１】
ここで、各爪１１３〜１１６の構成について説明する。爪１１３は、図４にて示すごとく、基部１１３ａ及び爪部１１３ｂを有している。基部１１３ａは、各Ｌ字穴部１４〜１７の案内穴部１４ｂ〜１７ｂ内に各対応の挿通穴部１４ａ〜１７ａから案内可能な外形形状でもって形成されて、ハウジング部材１１０の後壁１１１からこれに垂直に突出している。
【００６２】
爪部１１３ｂは、各Ｌ字穴部１４〜１７の挿通穴部１４ａ〜１７ａには挿入可能で各案内穴部１４ｂ〜１７ｂには挿入不可能な外形形状を有するように形成されて、図４及び図５から分かるように、基部１１３ａの先端部から後壁１１１に並行にかつ開口部１１２の径方向に沿いＬ字状に突出している。
【００６３】
ここで、爪１１３の幅（開口部１１２の周方向に沿う幅）は、Ｌ字穴部１４の案内穴部１４ｂの左右方向幅、Ｌ字穴部１５の案内穴部１５ｂの上下方向幅、Ｌ字穴部１６の案内穴部１６ｂの左右方向幅及びＬ字穴部１７の案内穴部１７ｂの上下方向幅に等しい。
【００６４】
残りの各爪１１４は、それぞれ、各基部１１４ａ、１１５ａ、１１６ａ及び爪部１１４ｂ、１１５ｂ、１１６ｂを有しており、各基部１１４ａ、１１５ａ、１１６ａは、それぞれ、ハウジング部材１１０の後壁１１１からこれに垂直に突出している。また、各爪部１１４ｂ、１１５ｂ、１１６ｂは、それぞれ、図４及び図５から分かるように、各対応の基部１１４ａ、１１５ａ、１１６ａの先端部から後壁１１１に並行にかつ開口部１１２の径方向に沿いＬ字状に突出している。
【００６５】
ここで、各爪１１４〜１１６は、その基部１１４ａ〜１１６ａにて、各Ｌ字穴部１４〜１７の案内穴部１４ｂ〜１７ｂ内にその各対応の挿通穴部１４ａ〜１７ａから案内可能な外形形状でもって形成されている。
【００６６】
また、各爪１１４〜１１６は、その爪部１１４ｂ〜１１６ｂにて、各Ｌ字穴部１４〜１７の挿通穴部１４ａ〜１７ａに挿入可能で各案内穴部１４ｂ〜１７ｂには挿入不可能な外形形状を有するように形成されている。
【００６７】
但し、各爪１１４〜１１６の幅（開口部１１２の周方向に沿う幅）は、爪１１３の幅（開口部１１２の周方向に沿う幅）の半分に相当する。また、各爪１１３〜１１６の基部１１３ａ〜１１６ａの軸長は、段部１０ｃの後壁１１の厚さよりも幾分長くなっている。なお、ハウジング部材１１０の後壁１１１及び各爪１１３〜１１６は、本発明にいうアタッチメント側装着部に対応する。また、後壁１１１及び各爪１１３〜１１６は、上述した頭部１０ｂの前壁１１及び各Ｌ字穴部１４〜１７とともに、本発明にいう形態に対応する。
【００６８】
また、アタッチメントＰＪｂは、反射ミラー（図示しない）及び結像光学系１２０（図１及び図６参照）を備えている。上記反射ミラーは、アタッチメントＰＪｂを段部１０ｃに後述のごとく装着したとき、ＬＣＤ１００から映像光を各開口部１３、１１２を通し入射されて結像光学系１２０に向けて反射する。なお、結像光学系１２０は、本発明にいう投影手段に対応する。
【００６９】
結像光学系１２０は、複数のレンズからなるもので、この結像光学系１２０は、その出射側レンズにて、ハウジング部材１１０の投影口部１１７を通し外方に向けて対向している（図１参照）。これにより、アタッチメントＰＪｂが後述のようにプロジェクタ本体ＰＪａに装着されたとき、当該結像光学系１２０は、上記反射ミラーからの反射映像光を投影口部１１７を通し投影することで、ＬＣＤ１００の表示映像を下側水平投影面Ｓａ、上側水平投影面Ｓｂ、左側垂直投影面Ｓｃ或いは右側垂直投影面Ｓｄに投影する。なお、投影口部１１７は、ハウジング部材１１０の底壁の前側部位に形成されている（図１参照）。
【００７０】
このように構成した本第１実施形態において、当該プロジェクタによって、上述した下方向投影、上方向投影、右方向投影或いは左方向投影を行う場合について説明する。但し、当該プロジェクタは、プロジェクタ本体ＰＪａにて、例えば、机（図示しない）の上面に立設されているものとする。
１．当該プロジェクタでもって上記下方向投影を行う場合
アタッチメントＰＪｂを、図１にて示すごとく、投影口部１１７にて下方向に向くように把持して、後壁１１１（図４参照）にて、プロジェクタ本体ＰＪａの頭部１０ｂの前壁１１（段部１０ｃの後壁）に押しつける。
【００７１】
このような状態において、各爪１１３〜１１６を、その爪部１１３ｂ〜１１６ｂから、各対応のＬ字穴部１４〜１７の挿通穴部１４ａ〜１７ａに挿通する。然る後、アタッチメントＰＪｂを図１にて図示時計方向に捻るように回動すると、各爪１１３〜１１６は、各対応のロックバネ１８ａ〜１８ｄの弾力に抗して、各基部１１３ａ〜１１６ａにて、各対応の案内穴部１４ｂ〜１７ｂ内に案内される。
【００７２】
ここで、当該爪１１３は、案内穴部１６ｂの左右方向幅と同一の幅を有するとともに、ロックバネ１８ｃの頂部が挿通穴部１６ａと案内穴部１６ｂとの境界に対向して位置するので、爪１１３が案内穴部１６ｂ内左端部に当接したとき、当該爪１１３は、その爪部１１３ｂにて、ロックバネ１８ｃの頂部と案内穴部１６ｂ内左端部との間に挟持される。
【００７３】
また、残りの各爪１１４〜１１６の幅は、爪１１３の幅の半分である。さらに、ロックバネ１８ａの頂部が挿通穴部１４ａと案内穴部１４ｂとの境界に対向して位置し、ロックバネ１８ｂの頂部が挿通穴部１５ａと案内穴部１５ｂとの境界に対向して位置し、また、ロックバネ１８ｄの頂部が挿通穴部１７ａと案内穴部１７ｂとの境界に対向して位置する。
【００７４】
このため、上述のように爪１１３がロックバネ１８ｃの頂部と案内穴部１６ｂ内左端部との間に挟持されたとき、残りの各爪１１４〜１１６は、その爪部１１４ｂ〜１１６ｂにて、各対応のロックバネ１８ａ、１８ｂ、１８ｄの頂部により抜け止めされる。
【００７５】
このようにして、アタッチメントＰＪｂのプロジェクタ本体ＰＪａに対する装着が、プロジェクタの投影方向を下側水平投影面Ｓａに向けるようになされて終了する。このことは、当該プロジェクタが上記下方向投影を行う状態におかれたことを意味する。
【００７６】
上述のようにしてアタッチメントＰＪｂの装着が終了したとき、装着センサ３３が、その押動部３３ａにて、爪１１３の爪部１１３ｂにより押動されて、オンし検出信号を発生する。
【００７７】
そして、当該検出信号により、制御ユニットＵのマイクロコンピュータ２０が作動状態におかれると、アタッチメントＰＪｂの装着の完了が検知され、このマイクロコンピュータ２０は、そのＣＰＵでもって、操作パネルＰの操作入力に基づく処理、映像信号入力回路６０からの映像信号の入力に伴う処理、及び装着センサ３１、３２、３３或いは３４の検出信号の発生の有無に基づくアタッチメントＰＪｂの装着形態の識別等の種々の処理を行う。
【００７８】
以上のような処理のもと、ランプ８０がランプ駆動回路４０により駆動されると、当該ランプ８０は、点灯して、光を、照明光学系９０を通しＬＣＤ１００に入射する。
【００７９】
また、ＬＣＤ１００が、画像処理回路５０の画像データ処理された出力に基づきＬＣＤ駆動回路７０により駆動されると、このＬＣＤ１００は、照明光学系９０からの入射光に基づき、映像を映像光としてアタッチメントＰＪｂの反射ミラーに向けて出射する。これに伴い、当該映像光は、上記反射ミラーにより反射されて結像光学系１２０に入射する。
【００８０】
すると、この結像光学系１２０は、その入射映像光を、投影口部１１７を通して下側水平投影面Ｓａ上に投影する。このことは、当該プロジェクタが、ＬＣＤ１００の表示映像を下側水平投影面Ｓａ上に投影することで、上記下方向投影を行うことを意味する。
【００８１】
ここで、上述のように装着センサ３３が検出信号を発生すると、マイクロコンピュータ２０は、そのＣＰＵでもって、当該装着センサ３３からの検出信号に基づき、プロジェクタ本体ＰＪａに対するアタッチメントＰＪｂの装着形態を識別する処理を行う。この処理で識別されるアタッチメントＰＪｂの装着形態は、上記下方向投影に対応するアタッチメントＰＪｂの装着形態であることから、ランプ８０の出射光量が、後述する投影方向と光量の関係を定義した投影方向−光量データに基づき所定の低輝度光量に設定される。
【００８２】
本第１実施形態では、上記投影方向−光量データは、次のような理由でもって導入されている。即ち、上述のように、識別されたアタッチメントＰＪｂの装着形態が上記下方向投影に対応するアタッチメントＰＪｂの装着形態のときには上記下方向投影であることから、投影口部１１７から下側水平投影面Ｓａまでの投影距離が短い。
【００８３】
このため、下側水平投影面Ｓａ上の表示映像の明るさは、十分に余裕があり、時として過度になりがちであることから、当該表示映像の輝度を見易いように低くすることが望ましい。また、このように低輝度に設定すれば、適切な明るさの中で電力消費を抑制することもできる。
【００８４】
また、後述するように当該プロジェクタが上記上方向投影、左方向投影或いは右方向投影の状態にあるときには、投影口部１１７から上側水平投影面Ｓｂ、左側垂直投影面Ｓｃ或いは右側垂直投影面Ｓｄまでの投影距離が長いので、上側水平投影面Ｓｂ、左側垂直投影面Ｓｃ、右側垂直投影面Ｓｄ上の輝度を見易いように高くすることが望ましい。
【００８５】
そこで、上記投影方向−光量データは、以上述べた理由のもとに、当該プロジェクタが上記下方向投影にあるときには、ランプ８０の出射光量を所定の低輝度光量に減少させ、また、当該プロジェクタが上記上方向投影、左方向投影或いは右方向投影の状態にあるときには、ランプ８０の出射光量を所定の高輝度光量に増加させるように定められてマイクロコンピュータ２０のＲＯＭに予め記憶されている。
【００８６】
従って、上述のようにランプ８０の出射光量が上記所定の低輝度光量に設定されると、ランプ駆動回路４０が、マイクロコンピュータ２０によりそのＣＰＵでもって制御されて、ランプ８０の出射光量を上記所定の低輝度光量にするように当該ランプ８０を駆動する。
【００８７】
このため、ランプ８０の出射光量が上記所定の低輝度光量に減少され、結像光学系１２０から下側水平投影面Ｓａ上に投影される光の輝度が低下する。その結果、アタッチメントＰＪｂの投影口部１１７から下側水平投影面Ｓａまでの投影距離が短くても、ＬＣＤ１００の表示映像は、低輝度にて下側水平投影面Ｓａに投影され、見易い映像となるとともに、省電力にも役立つ。
２．当該プロジェクタでもって上記上方向投影を行う場合
まず、上述のようにプロジェクタ本体ＰＪａに装着されたアタッチメントＰＪｂを図２にて反時計方向に捻るように回動させた後、各ロック爪１１３〜１１６を各対応のＬ字穴部１４〜１７の挿通穴部１４ａ〜１７ａから抜き出すことにより、当該アタッチメントＰＪｂをプロジェクタ本体ＰＪａから取り外す。
【００８８】
然る後、アタッチメントＰＪｂを、図１にて示すごとく、投影口部１１７にて上方に向くように把持して、後壁１１１にてプロジェクタ本体ＰＪａの頭部１０ｂの前壁１１（段部１０ｃの後壁）に押しつける。
【００８９】
このような状態において、各爪１１３〜１１６を、上述と同様にして、各対応の案内穴部１４ｂ〜１７ｂ内に案内することで、爪１１３が案内穴部１４ｂ内左端部に当接したとき、当該爪１１３は、その爪部１１３ｂにて、ロックバネ１８ａの頂部と案内穴部１４ｂ内左端部との間に挟持される。また、残りの各爪１１４〜１１６は、その爪部１１４ｂ〜１１６ｂにて、各対応のロックバネ１８ｂ〜１８ｄの頂部により抜け止めされる。
【００９０】
このようにして、アタッチメントＰＪｂのプロジェクタ本体ＰＪａに対する装着が、当該プロジェクタの投影方向を上側水平投影面Ｓｂに向けるようになされて終了する。このことは、当該プロジェクタが上記上方向投影を行う状態におかれたことを意味する。
【００９１】
上述のようにしてアタッチメントＰＪｂの装着が終了したとき、装着センサ３１が、その押動部３１ａにて、爪１１３の爪部１１３ｂにより押動されて、オンし検出信号を発生する。
【００９２】
そして、当該検出信号により、上述したマイクロコンピュータ２０の作動のもと、アタッチメントＰＪｂの装着の完了が検知され、上述した一連の投影にむけた処理が行われ、映像光を、投影口部１１７を通し、上側水平投影面Ｓｂ上に投影することで、上述した上方向投影を行う。
【００９３】
ここで、上述のように装着センサ３１が検出信号を発生すると、マイクロコンピュータ２０が、そのＣＰＵでもって、当該装着センサ３１の検出信号に基づき、プロジェクタ本体ＰＪａに対するアタッチメントＰＪｂの装着形態を識別する処理を行う。この処理で識別される装着形態は、上記上方向投影に対応するアタッチメントＰＪｂの装着形態であることから、このため、ランプ８０の出射光量が、上述した投影方向−光量データに基づき上記所定の高輝度光量に設定される。
【００９４】
これに伴い、ランプ駆動回路４０が、マイクロコンピュータ２０により制御されて、ランプ８０の出射光量を上記所定の高輝度光量にするように当該ランプ８０を駆動する。
【００９５】
このため、ランプ８０の出射光量が上記所定の高輝度光量に増加され、結像光学系１２０から上側水平投影面Ｓｂ上に出射される光の輝度が高くなる。
【００９６】
その結果、アタッチメントＰＪｂの投影口部１１７と上側水平投影面Ｓｂとの間の投影距離が長くても、ＬＣＤ１００の表示映像は、高輝度にて上側水平投影面Ｓｂに投影され、見易い映像となる。
３．当該プロジェクタでもって上記左方向投影を行う場合
上述と同様にしてアタッチメントＰＪｂをプロジェクタ本体ＰＪａから取り外した後、アタッチメントＰＪｂを、図１にて示すごとく、投影口部１１７にて左方に向くように把持して、後壁１１１にてプロジェクタ本体ＰＪａの頭部１０ｂの前壁１１に押しつける。
【００９７】
このような状態において、各爪１１３〜１１６を、上述と同様にして、各対応の案内穴部１４ｂ〜１７ｂ内に案内することで、爪１１３が案内穴部１７ｂ内上端部に当接したとき、当該爪１１３は、その爪部１１３ｂにて、ロックバネ１８ｄの頂部と案内穴部１７ｂ内上端部との間に挟持される。また、残りの各爪１１４〜１１６は、その爪部１１４ｂ〜１１６ｂにて、各対応のロックバネ１８ａ〜１８ｃの頂部により抜け止めされる。
【００９８】
このようにして、アタッチメントＰＪｂのプロジェクタ本体ＰＪａに対する装着が、プロジェクタの投影方向を左側垂直投影面Ｓｃに向けるようになされて終了する。このことは、当該プロジェクタが上記左方向投影を行う状態におかれたことを意味する。
【００９９】
上述のようにしてアタッチメントＰＪｂの装着が終了したとき、装着センサ３４が、その押動部３４ａにて、爪１１３の爪部１１３ｂにより押動されて、オンし検出信号を発生する。
【０１００】
そして、当該検出信号により、上述したマイクロコンピュータ２０の作動のもと、アタッチメントＰＪｂの装着の完了が検知され、上述した一連の投影に向けた処理が行われ、映像光を、投影口部１１７を通して左側垂直投影面Ｓｃ上に投影することで、上述した左方向投影を行う。
【０１０１】
ここで、上述のように装着センサ３４が検出信号を発生すると、マイクロコンピュータ２０が、そのＣＰＵでもって、当該装着センサ３４の検出信号に基づき、プロジェクタ本体ＰＪａに対するアタッチメントＰＪｂの装着形態を識別する処理を行う。この処理で識別される装着形態は、上記左方向投影に対応するアタッチメントＰＪｂの装着形態であることから、このため、ランプ８０の出射光量が、上述した投影方向−光量データに基づき上記所定の高輝度光量に設定される。
【０１０２】
これに伴い、ランプ駆動回路４０が、マイクロコンピュータ２０により制御されて、ランプ８０の出射光量を上記所定の高輝度光量にするように当該ランプ８０を駆動する。
【０１０３】
このため、ランプ８０の出射光量が上記所定の高輝度光量に増加され、結像光学系１２０から左側垂直投影面Ｓｃ上に出射される光の輝度が高くなる。
【０１０４】
その結果、アタッチメントＰＪｂの投影口部１１７と左側垂直投影面Ｓｃとの間の投影距離が長くても、ＬＣＤ１００の表示映像は、高輝度にて左側垂直投影面Ｓｃに投影され、見易い映像となる。
４．当該プロジェクタでもって上記右方向投影を行う場合
上述と同様にアタッチメントＰＪｂをプロジェクタ本体ＰＪａから取り外した後、アタッチメントＰＪｂを、図１にて示すごとく、投影口部１１７にて右方に向くように把持して、後壁１１１にて、プロジェクタ本体ＰＪａの頭部１０ｂの前壁１１に押しつける。
【０１０５】
このような状態において、各爪１１３〜１１６を、上述と同様に、各対応の案内穴部１４ｂ〜１７ｂ内に案内することで、爪１１３が案内穴部１５ｂ内下端部に当接したとき、当該爪１１３は、その爪部１１３ｂにて、ロックバネ１８ｂの頂部と案内穴部１５ｂ内下端部との間に挟持される。また、残りの各爪１１４〜１１６は、その爪部１１４ｂ〜１１６ｂにて、各対応のロックバネ１８ａ、１８ｃ、１８ｄの頂部により抜け止めされる。
【０１０６】
このようにして、アタッチメントＰＪｂのプロジェクタ本体ＰＪａに対する装着が、プロジェクタの投影方向を右側垂直投影面Ｓｄに向けるようになされて終了する。このことは、当該プロジェクタが上記右方向投影を行う状態におかれたことを意味する。
【０１０７】
上述のようにしてアタッチメントＰＪｂの装着が終了したとき、装着センサ３２が、その押動部３２ａにて、爪１１３の爪部１１３ｂにより押動されて、オンし検出信号を発生する。
【０１０８】
そして、当該検出信号により、上述したマイクロコンピュータ２０の作動のもと、アタッチメントＰＪｂの装着の完了が検知され、上述した一連の投影に向けた処理が行われ、映像光を、投影口部１１７を通して右側垂直投影面Ｓｄ上に投影することで、上述した右方向投影を行う。
【０１０９】
ここで、上述のように装着センサ３２が検出信号を発生すると、マイクロコンピュータ２０が、そのＣＰＵでもって、当該装着センサ３２の検出信号に基づき、プロジェクタ本体ＰＪａに対するアタッチメントＰＪｂの装着形態を識別する処理を行う。この処理で識別される装着形態は、上記右方向投影に対応するアタッチメントＰＪｂの装着形態であることから、このため、ランプ８０の出射光量が、上述した投影方向−光量データに基づき上記所定の高輝度光量に設定される。
【０１１０】
これに伴い、ランプ駆動回路４０が、マイクロコンピュータ２０により制御されて、ランプ８０の出射光量を上記所定の高輝度光量にするように当該ランプ８０を駆動する。
【０１１１】
このため、ランプ８０の出射光量が上記所定の高輝度光量に増加され、結像光学系１２０から右側垂直投影面Ｓｄ上に出射される光の輝度が高くなる。その結果、アタッチメントＰＪｂの投影口部１１７と右側垂直投影面Ｓｄとの間の投影距離が長くても、ＬＣＤ１１０の表示映像は、高輝度にて右側垂直投影面Ｓｄに投影され、見易い映像となる。
【０１１２】
以上説明したように、プロジェクタ本体ＰＪａの他に、アタッチメントＰＪｂを採用し、このアタッチメントＰＪｂを、所望の投影方向に適合させるように、プロジェクタ本体ＰＪａに装着することで、当該プロジェクタを構成するようにした。
【０１１３】
これにより、プロジェクタ本体ＰＪａの配設位置をそのままにしても、アタッチメントＰＪｂを、下側水平投影面Ｓａ、上側水平投影面Ｓｂ、左側垂直投影面Ｓｃ或いは右側垂直投影面Ｓｄの位置方向にあわせて、上述のごとくプロジェクタ本体ＰＪａに装着することで、当該プロジェクタを上述した下方向投影、上方向投影、右方向投影或いは左方向投影に簡単に設定できる。
【０１１４】
また、マイクロコンピュータ２０は、各装着センサ３１〜３４のいずれかの検出信号に基づき、ランプ８０の光量を自動的に制御する。これにより、ランプ８０の光量が、プロジェクタ本体ＰＪａにアタッチメントＰＪｂを装着した際の投影方向に適した投影映像に過不足なき輝度をもたらすように調整される。その結果、上述した下方向投影、上方向投影、左方向投影或いは右方向投影であっても、投影面上の投影映像が、良好な明るさにて視認され得る。
（第２実施形態）
図７は、本発明の第２実施形態の要部を示している。この第２実施形態では、アタッチメントＰＪｃが、上記第１実施形態にて述べたアタッチメントＰＪｂに代えて採用された構成となっている。
【０１１５】
このアタッチメントＰＪｃは、上記第１実施形態にて述べたアタッチメントＰＪｂにおいて、後壁１１１に設けた４つの爪１１３〜１１６のうち、両爪１１３、１１５のみを残した構成となっている。その他の構成は、上記第１実施形態と同様である。
【０１１６】
このように構成した本第２実施形態においては、上述のように、アタッチメントＰＪｃは、上記第１実施形態にて述べたアタッチメントＰＪｂとは異なり、両爪１１３、１１５のみを有するように構成されている。
【０１１７】
従って、アタッチメントＰＪｃのプロジェクタ本体ＰＪａへの装着構造が、アタッチメントＰＪｂのプロジェクタ本体ＰＪａへの装着構造に比べて簡単となる。その他の作用効果は、上記第１実施形態と実質的に同様である。
【０１１８】
なお、本発明の実施にあたり、上記各実施形態に限ることなく、次のような種々の変形例が挙げられる。
（１）上記各実施形態において、当該プロジェクタでもって、上述のごとく、下方向投影、上方向投影、左方向投影或いは右方向投影を行う例について説明したが、これに限ることなく、任意の方向の投影を行うように、プロジェクタ本体に対するアタッチメントの装着形態（装着構成）を変更してもよい。
（２）上記各実施形態において、アタッチメントＰＪｂのプロジェクタ本体ＰＪａへの装着形態が、各装着センサ３１〜３４のいずれかの検出信号に基づき識別されたとき、その旨を、プロジェクタ本体ＰＪａ上に別途設けた他のＬＣＤでもって、表示するようにしてもよい。
【０１１９】
これにより、ランプ８０の点灯が遅れても、上記他のＬＣＤの表示でもって、素早く、アタッチメントＰＪｂのプロジェクタ本体ＰＪａへの装着形態の正誤が確認され得る。なお、上記他のＬＣＤは、ハウジング１０の上壁に設けておけば、上述した装着形態の正誤が確認し易い。
（３）上述のように識別されたプロジェクタの投影方向を、別途設けた他のＬＣＤ上に表示することやＬＥＤなどの点灯でもって表示することその他各種報知手段（本発明にいう情報報知手段に対応）でもって報知するようにしてもよい。また、各装着センサ３１〜３４のいずれかからの１つの検出信号の発生に基づき、初めて当該プロジェクタの電源投入を可能としてもよい。
（４）上記投影方向−光量データに代えて、投影方向−投影倍率データを採用してもよい。ここで、投影方向−投影倍率データは、識別された装着形態のプロジェクタの投影方向と当該投影方向に対応する投影倍率との関係を表すデータであって、マイクロコンピュータ２０のＲＯＭに予め記憶させておいて、当該投影方向−投影倍率データに基づいて決まる投影倍率を、別途採用した他のＬＣＤでもって表示するようにしてもよい。これによれば、ランプ８０の点灯に先だって素早く、投影倍率が表示され得る。
（５）当該プロジェクタは、上記各実施形態にて述べたものに限ることなく、例えば、天井につり下げ固定されるつり下げ型であってもよいし、床に略垂直な面に引っかけたり、固定されたりして利用される壁掛け型であってもよい。
（６）装着センサとしては、機械的スイッチに限らず、光センサや磁気センサなどを採用してもよい。
【０１２０】
また、装着センサは必須ではなく、プロジェクタ本体に装着したアタッチメントの装着方向がよくわかるように、アタッチメントの形状やアタッチメントの色が工夫されていてもよい。例えば、アタッチメントの特定の側面のみ特徴的な色や模様が入っているようにしてもよい。
（７）アタッチメントは単純にプロジェクタ本体に差し込み、奥へ差し込む程に固定される様に装着部が構成されていてもよく、その場合は任意の方向で差し込めるため、投影方向の任意の方向へ設定できる。
（８）上記実施形態とは異なり、プロジェクタ装着部に複数の爪があり、アタッチメント装着部に案内穴があるような構成であってもよく、アタッチメント装着部の案内穴がプロジェクタ装着部の爪の数より少なくてもよい。
（９）アタッチメント装着部として、複数の側面に装着方向に延びる凸形状の段差部を形成し、プロジェクタ装着部には前記段差部を挿入固定できるよう対応する凹形状の段差を設け、アタッチメントを前記段差部に沿ってスライド式に挿入するような構成であってもよい。
【図面の簡単な説明】
【０１２１】
【図１】本発明に係るプロジェクタの第１実施形態においてプロジェクタ本体に対するアタッチメントの装着を、投影方向を上下左右のいずれかの方向に変更するように行う例で示す斜視図である。
【図２】図１のプロジェクタ本体の段部にアタッチメントを装着したときの当該段部の後壁（頭部の前壁）を当該プロジェクタ本体の内側から見た図である。
【図３】図１のプロジェクタ本体の頭部の前壁を当該プロジェクタ本体の内側から見た図である。
【図４】図１のアタッチメントの斜視図である。
【図５】図１のアタッチメントの背面図である。
【図６】上記第１実施形態におけるブロック回路図である。
【図７】本発明の第２実施形態の要部を示す斜視図である。
【符号の説明】
【０１２２】
ＰＪａ…プロジェクタ本体、ＰＪｂ、ＰＪｃ…アタッチメント、
Ｓａ…下側水平投影面、Ｓｂ…上側水平投影面、Ｓｃ…左側垂直投影面、
Ｓｄ…右側垂直投影面、Ｕ…制御ユニット、１０…ハウジング部材、頭部…１０ｂ、
１０ｃ…段部、１４〜１７…Ｌ字穴部、１４ａ〜１７ａ…挿通穴部、
１４ｂ〜１７ｂ…案内穴部、１８ａ〜１８ｄ…ロックバネ、２０…マイクロコンピュータ、
３１〜３４…装着センサ、３１ａ〜３４ａ…押動部、４０…ランプ駆動回路、
８０…ランプ、１１３〜１１６…爪、１１３ａ〜１１６ａ…基部、
１１３ｂ〜１１６ｂ…爪部。
【図１】
2007094288.tif 000003
【図２】
2007094288.tif 000004
【図３】
2007094288.tif 000005
【図４】
2007094288.tif 000006
【図５】
2007094288.tif 000007
【図６】
2007094288.tif 000008
【図７】
2007094288.tif 000009